(57)【要約】【課題】ワイヤとハーネスとを見栄え良く結束し、且つ揺動などの摩擦に対する耐久性を向上させる吊り下げ構造を備えた天井吊り下げ灯を提供すること。【解決手段】天井吊り下げ灯のワイヤ３１とハーネス３２を結束しつつ、互いが干渉しないよう、ハーネス３２を側面に設けられた側面開口部４１から引出すための保持部４を用い、照明器具１を吊り下げた。【選択図】図１
2010153215.tif 000002
【特許請求の範囲】
【請求項１】
照明器具と、
天井に取付けられた天井取付部から前記照明器具を吊り下げるワイヤと、
前記ワイヤに沿って前記天井取付部より引出され、前記照明器具に電力供給するハーネスと、
を備え、更に、
前記照明器具、または前記天井取付部に取付けられ、前記ワイヤと前記ハーネスとをその端部において結束する保持部とを備え、
前記保持部は前記ワイヤが挿通される中空の筒形状を有し、その側面に側面開口部が設けられており、
前記ハーネスは、前記保持部のいずれか一方の開口部と前記側面開口部とから引出されるよう挿通されることで前記ワイヤと結束される
ことを特徴とする天井吊り下げ灯。
【請求項２】
前記保持部の外周面にネジ溝が形成され、前記ワイヤ及び前記ハーネスとが引出された前記開口部を覆うようカバーが取付けられることを特徴とする請求項１に記載の天井吊り下げ灯。
【請求項３】
前記側面開口部は、前記開口部から側面を切り欠き形成された切欠部と、前記カバーとにより形成されることを特徴とする請求項２に記載の天井吊り下げ灯。
【請求項４】
前記照明器具は、ＬＥＤと、前記ＬＥＤの放射光を導光し面状の発光面を有する透明樹脂からなる導光部と、からなることを特徴とする請求項２〜３いずれか１項に記載の天井吊り下げ灯。
【請求項５】
前記ＬＥＤと前記導光部の間がシリコーン樹脂で封止されていることを特徴とする請求項４に記載の天井吊り下げ灯。
【請求項６】
前記導光部は、前記ワイヤと前記ハーネスとを前記導光部を介して直視できないよう、複数の溝状の光反射部が形成されることを特徴とする請求項４〜５いずれか１項に記載の天井吊り下げ灯。
【請求項７】
前記溝状の光反射部は、前記導光部の天井吊り下げ灯における床面側に設けられ、内部を導光された光を天井方向に反射させる、ことを特徴とする請求項６に記載の天井吊り下げ灯。
【発明の詳細な説明】
【技術分野】
【０００１】
本発明は天井から吊り下げられる照明器具に関するものである。
【背景技術】
【０００２】
家庭用などの一般照明用途として、例えば天井に取付けられる照明器具として、天井直付け灯（シーリングライト）、天井吊り下げ灯（ペンダントライト）、天井埋め込み灯（ダウンライト）など様々な照明器具がある。
近年、その発光効率の向上によりＬＥＤを用いた照明器具が開発、製品化されている。ＬＥＤは点光源であるため、アレイ状に複数のＬＥＤを配列したり、導光体などと組み合わせることによりその発光態様を大きく変化させ、意匠性にバリエーションを持たせることができる。
【０００３】
天井吊り下げ灯における吊り下げ構造として、吊り下げ用のワイヤとハーネス（電源ケーブル）とを別々に設けたものや、ハーネス自身を補強しワイヤを不要としたものとが知られている（特許文献１、２）。
ワイヤとハーネスが別々の場合、使用者からは線が複数見えるため美感が優れない。これはワイヤとハーネスの天井取付部からの引出し部分が別々に形成されているためであり、光源の数や照明器具の重量に応じ、線の数が増減する。特にシャンデリアのよう光源部が複数配置され、高級感、透明感を演出すべく、透明な装飾部材が複数設けられた照明器具においては、ワイヤ、ハーネスは増加せざるを得ず、増加した分だけ美感を損ねてしまう。
【０００４】
これを改善するための手法として、ハーネスを強化することでワイヤを不用とし、見かけの線の数を減らすことが考えられる。
しかし照明器具の荷重が直接ハーネス部分にかかってしまうため、断線を防止すべく照明器具の重量制限が設けられるが、それでも断線による故障が問題となっている。このため上記のシャンデリアのような重量のある照明器具には適用できない。
【０００５】
【特許文献１】特開２０００−１１７４３号公報
【特許文献２】特開平８−２０３３１５号公報
【発明の開示】
【発明が解決しようとする課題】
【０００６】
本出願人は、ワイヤとハーネスとを同じ部位から引出すことにより、見た目の線の数を減少させる検討を行った。これによればワイヤ、ハーネスの導出部において、これらケーブルを束ねて保持（結束）できるため、美感が非常に優れたものとなった。
しかしこの場合、導電性の高いＣｕなど比較的やわらかいハーネスと、ハーネスより高強度の線材で形成されたワイヤとが、メンテナンス時などの揺動時に互いが擦れあうなどして、ハーネスが断線してしまうなどの不具合が生じることを発見した。
さらに検討の結果、この現象は天井取付部からのケーブルの引出し部、及び照明器具を吊り下げ固定する部位における、その結束部分において顕著に発生することを突き止めた。
【０００７】
そこで本発明は、ワイヤとハーネスとを見栄え良く結束し、且つ揺動などの摩擦に対する耐久性を向上させる吊り下げ構造を備えた天井吊り下げ灯を提供することを目的とする。
【課題を解決するための手段】
【０００８】
以上の課題を達成すべく本発明の天井吊り下げ灯は次の構成からなる。即ち、
照明器具と、
天井に取付けられた天井取付部から前記照明器具を吊り下げるワイヤと、
前記ワイヤに沿って前記天井取付部より引出され、前記照明器具に電力供給するハーネスと、
を備え、更に、
前記照明器具及び／または前記天井取付部に取付けられ、前記ワイヤと前記ハーネスとをその端部において結束する保持部とを備え、
前記保持部は前記ワイヤが挿通される中空の筒形状を有し、その側面に側面開口部が設けられており、
前記ハーネスは、前記保持部のいずれか一方の開口部と前記側面開口部とから引出されるよう挿通されることで前記ワイヤと結束される
ことを特徴とする。
【発明の効果】
【０００９】
本発明によれば、ワイヤとハーネスとが保持部の同じ開口部から引出されるため見栄えが良い。またハーネスを保持部に設けられた側面開口部を介して挿通させているため、筒状の保持部の中空内において、ワイヤから離間するよう配置することができるため、断線などの不具合を飛躍的に低減できる。
【発明を実施するための最良の形態】
【００１０】
以下、実施例により、本発明を実施するための最良の形態を開示する。
【実施例１】
【００１１】
図１に本発明の天井吊り下げ灯の斜視図を示す。５つの照明器具１がそれぞれ天井取付部２から引出されたケーブル３により吊り下げられている。また各照明器具１は、（天井側から見た）上面視において右回りの順で照明器具１が低く配置されるよう、そのケーブル３の長さが異なるものとされている。
【００１２】
円盤状の照明器具１は、ケーブル３による固定部分を除き透明な導光体で形成されており、内部に設けられた光源により、全体が発光する。本発明における実施例の照明器具１を図２、図３を用い説明する。
【００１３】
図２は照明器具１の平面図と側面図であり、図３が断面図の模式図である。照明器具１は、ＬＥＤ１３がその内部に埋め込まれるよう配置された円盤状で透明樹脂からなる導光体と、ＬＥＤ１３の回路を構成する基板１４と、導光体中央に設けられ照明器具１の吊り下げ構造となる保持部４と、搭載した基板１４と保持部４とを覆うよう設けられるカバー１５と、により構成されている。
【００１４】
（導光体）
導光体は、ＬＥＤ１３が配置されるよう窪みを有し、ＬＥＤから放出される光を導光することで発光する第１導光部１１と、ＬＥＤ１３とその配線を覆うよう設けられる第２導光部１２とにより構成される。第１導光部１１、及び第２導光部１２はいずれも透明なアクリル樹脂で形成されており、その表面には、ＬＥＤ１３から放射された光を散乱、反射する溝が複数設けられている。
【００１５】
全体が均一に発光するよう演出するには光散乱するよう、例えば溝形状を細かく形成しシボ状とすればよく、また幾何学模様など意匠性を演出する場合は、導光された光をその内部で全反射させ発光面側に放射するよう、溝形状を比較的深く形成すれば良い。このような溝形状については、導光体関連分野における公知の技術を用いることができる。
【００１６】
また非発光時においても照明器具１の吊り下げ部分を除くほとんど全体の部位が透明樹脂からなる導光体で構成されており、外光を溝で散乱ないし反射するため、インテリアとしても好適に用いることができる。またこのとき、導光体を介してその背後にワイヤ３１やハーネス３２が視認出来ないよう、反射溝を複数配置することが好ましい。
【００１７】
（光源）
光源としてはＬＥＤ１３を好適に用いることができる。蛍光灯など公知の発光体と比較し、発光面積が非常に小さい点光源であり、様々なデザインに適用できるためである。ＬＥＤ１３としてはＧａＡｓ系、ＧａＰ系、ＧａＮ系などの３−５族系化合物半導体やＳｉＣ系など、その所望の発光色を放出するものを適宜、蛍光体や波長フィルタなどの波長変換部材とともに好適に用いることができる。
本実施例においては、青色発光のＧａＮ系ＬＥＤチップを用い、ＹＡＧ蛍光体を含有した封止材によりＬＥＤチップを砲弾型に封止したものを用いて白色発光させている。
【００１８】
ＬＥＤ１３には基板１４から導出された配線（図示なし）が接続されている。基板１４は第２導光部１２に設けられた凹に収容されており、保持部４が貫通するようリング状に形成されている。基板１４にはＬＥＤ１３を保護するためのツェナーダイオードやコンデンサ、交流を直流に変換しＬＥＤ１３に電力供給するブリッジ回路やコイル、または点灯制御回路など、その用途や使用形態に併せ様々な回路素子を実装することができる。
【００１９】
（吊り下げ構造）
次にワイヤ３１とハーネス３２とを束ねて保持（結束）する保持部４を用いた吊り下げ構造について図３、図４を用い説明する。保持部４は内部が中空の円筒形状を有し、その側面に側面開口部４１を有する。またその外周面にはネジ溝が設けられている。
【００２０】
照明器具１を吊り下げその重量を支えるワイヤ３１は開口部４２を介し保持部４に挿通され、その先端に保持部４の内径より大きい径の球状の係止部を有すことで照明器具１を吊り下げている。また照明器具１に電力供給するハーネス３２は使用者にケーブルがたくさんあるような印象を与えないよう、ワイヤ３１に沿って配置され、保持部４の開口部４２と側面開口部４１とを通るよう挿通されている。
【００２１】
開口部４２は照明器具１が揺動しても、ワイヤ３１及びハーネス３２とが擦れ合うなどの干渉をせず、かつ保持部４の内周面角部とも干渉しないよう、その径が大きく形成され、エッジ部分はＲ状に面取りされている。
【００２２】
照明器具１の組立時において、予めワイヤ３１が挿通された保持部４を導光体に挿入した後、ワイヤ３１の先端の係止部を覆う、ネジ溝を有するカバーで保持部４と螺合させることで照明器具１を吊り下げ保持する。このためワイヤ３１先端に予め係止部が備えられる場合、係止部の大きさは、円筒状の保持部４の内径より大きく外径より小さくすることが望ましい。また係止部の接続前にワイヤ３１を保持部４に挿通させる場合は、係止部をかしめることでワイヤ３１と係止部とを固定接続する。
【００２３】
側面開口部４１は図４左図に示すよう、側面をくりぬいた開口でも良いし、図４右図に示すよう、開口部４２から側面を切り欠いた、開口部４２と連続した開口により形成されていても良い。このような構成によればハーネス３２を保持具４に挿通する際、ワイヤ３１に比べ強度の劣るハーネス３２に荷重がかかってしまうことを防止でき、側面開口部４１および開口部４２と干渉、擦れ合うなどの現象を抑制することができる。
この開口部４２と連続した側面開口部４１を用いる場合、ハーネス３２を保持しワイヤ３１と結束するため、ナット５を設けることが好ましい。
【００２４】
さらに本実施例においては側面開口部４１及び基板１４を覆うよう、カバー１５を設けている。しばしば天井吊り下げ灯はその上面に埃がたまることが問題となる。側面開口部４１や基板が表出していると、積層した埃により火災などの問題が起こりうるほか、電気的にも不安定となる。また本実施例のような透明感を演出する照明器具１において、側面開口部４１から埃が侵入し内部にたまってしまうことは、見栄えを損なう要因となりうる。カバー１５は保持部４に設けられたネジ溝を用い螺号しても良いし、単に基板１４と側面開口部４１とを覆いふさぐよう配置しても良い。後者の場合はネジ溝を用い、ナット状の係止部材で固定することが好ましい。さらにカバー１５を上述のナット５として構成、適用しても良い。
【００２５】
このように形成された保持部４をもちいることで、ハーネス３２の断線などの不具合を防止し、耐久性の高い、より安全な照明器具を提供することができる。
【００２６】
（天井部）
ここまで照明器具１側の構成について説明してきたが、上述の保持部４は天井取付部２にも使用できる。天井取付部２における断面拡大図を図５に示す。
天井取付部２は、保持部４を介し照明器具１を吊り下げ、天井に取付施工される固定用の板金２１と、板金２１を覆うカバー２２とから構成される。
【００２７】
図において、ワイヤ３１はその端部付近において、係止部材が接続されており、該係止部材が保持部４に支持されることで照明器具１全体の荷重を支えている。このため固定用の板金２１は、Ｌ字状に折り曲げられたその保持部４を支持する部位において、力が常に加わっている状態となる。このため図４に示した保持部４のネジ溝を用い、保持部４を強固に固定することが好ましい。
【００２８】
ハーネス３２は、上述のよう保持部４の側面開口部４１から引出され、天井内に配設される電気ケーブルなどに接続される。この際ＡＣ−ＤＣコンバータなど、その使用形態に応じて各種回路を接続できることはもちろんである。
【００２９】
本実施例においては保持部４により吊り下げワイヤ３１を固定する構造を示したが、天井吊り下げ灯に良く用いられるよう、ワイヤ３１をリールなどで巻き上げ可能とし、照明器具１高さを可変とできるよう構成しても良い。但しこの場合、ワイヤ３１とハーネス３２とが干渉し摩擦などによる断線を生じないよう構成することが必要である。
【実施例２】
【００３０】
前述の保持部４を用い、異なる形状の導光体からなる照明器具を吊り下げる事も可能である。図６に、第２の実施例における照明器具１００の断面図を示す。なお、前述の実施例と同様の部材には同じ符号を付してある。
【００３１】
本実施例では、光源として側面放射型ＬＥＤ１３０（側面実装型ＬＥＤ、サイドビュー）を用い、導光体中ではなく、保持部４の周囲を取り囲む基板１４に実装されており、紙面において左右方向となる円盤状の導光部１１０の半径方向に、放射状に光を放出するよう構成されている。側面放射型ＬＥＤは前述の砲弾型ＬＥＤ１３に比べ非常にコンパクトであり、導光体を薄く構成することができる。
【００３２】
側面放射型ＬＥＤ１３０の発光面と導光部１１０との間は、シリコーンなどの透明樹脂を介し密着、又は封止するなどすることが良い。導光部１１０に対する導光効率が向上するためである。シリコーン樹脂による封止を行った場合は上記の効果に加え、基板１４に実装された回路部品をも一体に封止することで、回路を保護することも可能となる。封止樹脂としては、光・熱に対する特性からシリコーン樹脂が好ましく、ＴｉＯ２などの光拡散剤や各種フィラーを添加しても良い。さらにＹＡＧ系やＢＯＳ系などの蛍光体を添加し、ＬＥＤ放出光の波長変換を行っても良い。
【００３３】
透明体からなる導光部１１０は下方向に湾曲し突出する円盤形状を有し、平面視においてその外形状は前述の実施例のものと類似している。導光部１１０の表面には、導光された光を散乱、反射する環状溝１１１が設けられている。環状溝が天井側ではなく下面に設けられていることで、側面放射型ＬＥＤ１３０から放射され導光部１１０内部に導光された光は、天井方向に反射される。このような構成とすることで、照明器具１００は室内の床面側ではなく天井側に光放射することとなり、床面を照明するのではなく、室内空間を照明、演出する効果を奏する。
また導光部１１０下面の中央が厚肉とされ、湾曲し突出することで、該湾曲部分がレンズ作用を有すこととなり、ワイヤ３１及びハーネス３２を直視し難くなる。
【産業上の利用可能性】
【００３４】
本発明の天井吊り下げ灯は、主に室内照明において、天井から吊り下げられるインテリアとして、シャンデリアなどに用いることができる。
【図面の簡単な説明】
【００３５】
【図１】本発明の天井吊り下げ灯の斜視図
【図２】吊り下げられる照明器具１の平面図と側面図
【図３】照明器具１の断面図
【図４】保持部４の斜視図
【図５】天井取付部２の断面図
【図６】照明器具１００の断面図
【符号の説明】
【００３６】
１  照明器具
２  天井取付部
３  ケーブル
４  保持部
５  ナット
【図１】
2010153215.tif 000003
【図２】
2010153215.tif 000004
【図３】
2010153215.tif 000005
【図４】
2010153215.tif 000006
【図５】
2010153215.tif 000007
【図６】
2010153215.tif 000008